(57)【要約】【課題】無線通信媒体との間で行う無線通信による読取及び書込の精度を向上することが可能な無線通信装置及びこの無線通信装置を搭載した改札機を提供することを目的とする。【解決手段】  固定的に設けられた支持部材に着脱自在に設けられた筐体に向かって接近する利用者を検知する接近センサ１１、１２、１３と、接近センサによる検知結果に基づき入場処理を必要とする入場者かまたは出場処理を必要とする出場者かを判断するＣＰＵ６０と、筐体に備えられ改札処理に必要な改札情報を記憶した無線通信媒体との間で無線通信を行う無線通信装置１０とを備え、無線通信装置１０による通信結果に基づいて改札処理を行うＣＰＵ６０は、判断結果に基づき、入場者に対しては入場処理を行い、出場者に対しては出場処理を行うことを特徴とする。【選択図】      図２
2006099436.tif 000002
【特許請求の範囲】
【請求項１】
固定的に設けられた支持部材と、
前記支持部材に着脱自在に設けられた筐体と、
前記筐体に向かって接近する利用者を検知する検知手段と、
前記検知手段による検知結果に基づき、入場処理を必要とする入場者かまたは出場処理を必要とする出場者かを判断する判断手段と、
前記筐体に備えられ、改札処理に必要な改札情報を記憶した無線通信媒体との間で無線通信を行う無線通信装置と、
前記無線通信装置による通信結果に基づいて改札処理を行う改札手段と、を備え、
前記改札手段は、前記判断手段による判断結果に基づき、入場者に対しては入場処理を行い、出場者に対しては出場処理を行うことを特徴とする改札機。
【請求項２】
固定的に設けられた支持部材と、
前記支持部材に着脱自在に設けられた筐体と、
前記筐体に備えられ、改札処理に必要な改札情報を記憶した無線通信媒体との間で無線通信を行う無線通信装置と、
前記無線通信装置により無線通信媒体から読み取った改札情報に基づき、入場処理を必要とする入場者かまたは出場処理を必要とする出場者かを判断する判断手段と、
前記無線通信装置による通信結果に基づいて改札処理を行う改札手段と、を備え、
前記改札手段は、前記判断手段による判断結果に基づき、入場者に対しては入場処理を行い、出場者に対しては出場処理を行うことを特徴とする改札機。
【請求項３】
固定的に設けられた支持部材と、
前記支持部材に着脱自在に設けられた筐体と、
入場処理または出場処理を選択可能な切換手段と、
前記筐体に備えられ、改札処理に必要な改札情報を記憶した無線通信媒体との間で無線通信を行う無線通信装置と、
前記無線通信装置による通信結果に基づいて改札処理を行う改札手段と、を備え、
前記改札手段は、前記切換手段による選択結果に基づき、入場処理または出場処理を行うことを特徴とする改札機。
【請求項４】
固定的に設けられた支持部材と、
前記支持部材に着脱自在に設けられた筐体と、
前記筐体に向かって接近する利用者を検知する検知手段と、
前記検知手段による検知結果に基づき、入場処理を必要とする入場者かまたは出場処理を必要とする出場者かを判断する第１判断手段と、
前記筐体に備えられ、改札処理に必要な改札情報を記憶した無線通信媒体との間で無線通信を行う無線通信装置と、
前記無線通信装置により無線通信媒体から読み取った改札情報に基づき、入場処理を必要とする入場者かまたは出場処理を必要とする出場者かを判断する第２判断手段と、
前記無線通信装置による通信結果に基づいて改札処理を行う改札手段と、を備え、
前記改札手段は、前記第１判断手段及び前記第２判断手段による判断結果に基づき、入場者に対しては入場処理を行い、出場者に対しては出場処理を行うとともに、前記第１判断手段及び前記第２判断手段による判断結果が不一致の場合に改札処理を中止することを特徴とする改札機。
【請求項５】
固定的に設けられた支持部材と、
前記支持部材に着脱自在に設けられた筐体と、
入場処理または出場処理を選択可能な切換手段と、
前記筐体に備えられ、改札処理に必要な改札情報を記憶した無線通信媒体との間で無線通信を行う無線通信装置と、
前記無線通信装置により無線通信媒体から読み取った改札情報に基づき、入場処理を必要とする入場者かまたは出場処理を必要とする出場者かを判断する判断手段と、
前記無線通信装置による通信結果に基づいて改札処理を行う改札手段と、を備え、
前記改札手段は、前記切換手段による選択結果及び前記判断手段による判断結果に基づき、入場者に対しては入場処理を行い、出場者に対しては出場処理を行うとともに、前記切換手段による選択結果及び前記判断手段による判断結果が不一致の場合に改札処理を中止することを特徴とする改札機。
【請求項６】
固定的に設けられた支持部材と、
前記支持部材に着脱自在に設けられた筐体と、
前記筐体に向かって接近する利用者を検知する検知手段と、
前記検知手段による検知結果に基づき、入場処理を必要とする入場者かまたは出場処理を必要とする出場者かを判断する判断手段と、
入場処理または出場処理を選択可能な切換手段と、
前記筐体に備えられ、改札処理に必要な改札情報を記憶した無線通信媒体との間で無線通信を行う無線通信装置と、
前記無線通信装置による通信結果に基づいて改札処理を行う改札手段と、を備え、
前記改札手段は、前記切換手段による選択結果及び前記判断手段による判断結果に基づき、入場者に対しては入場処理を行い、出場者に対しては出場処理を行うとともに、前記切換手段による選択結果及び前記判断手段による判断結果が不一致の場合に改札処理を中止することを特徴とする改札機。
【請求項７】
固定的に設けられた支持部材と、
前記支持部材に着脱自在に設けられた筐体と、
前記筐体に向かって接近する利用者を検知する検知手段と、
前記検知手段による検知結果に基づき、入場処理を必要とする入場者かまたは出場処理を必要とする出場者かを判断する第１判断手段と、
入場処理または出場処理を選択可能な切換手段と、
前記筐体に備えられ、改札処理に必要な改札情報を記憶した無線通信媒体との間で無線通信を行う無線通信装置と、
前記無線通信装置により無線通信媒体から読み取った改札情報に基づき、入場処理を必要とする入場者かまたは出場処理を必要とする出場者かを判断する第２判断手段と、
前記無線通信装置による通信結果に基づいて改札処理を行う改札手段と、を備え、
前記改札手段は、前記切換手段による選択結果、及び、前記第１判断手段及び前記第２判断手段による判断結果に基づき、入場者に対しては入場処理を行い、出場者に対しては出場処理を行うとともに、前記切換手段による選択結果、及び、前記第１判断手段及び前記第２判断手段による判断結果の少なくとも１つが不一致の場合に改札処理を中止することを特徴とする改札機。
【請求項８】
固定的に設けられた支持部材に着脱自在に設けられた筐体を備えた改札機における改札方法であって、
前記筐体に向かって接近する利用者を検知し、
この検知結果に基づき、入場処理を必要とする入場者かまたは出場処理を必要とする出場者かを判断し、
改札処理に必要な改札情報を記憶した無線通信媒体との間で無線通信を行い、
この無線通信による通信結果に基づいて改札処理を行う際、入場者であると判断したのに基づいて前記無線通信媒体に対して入場処理を行い、出場者であると判断したのに基づいて前記無線通信媒体に対して出場処理を行うことを特徴とする改札方法。
【請求項９】
固定的に設けられた支持部材に着脱自在に設けられた筐体を備えた改札機における改札方法であって、
改札処理に必要な改札情報を記憶した無線通信媒体との間で無線通信を行い、
この無線通信により無線通信媒体から読み取った改札情報に基づき、入場処理を必要とする入場者かまたは出場処理を必要とする出場者かを判断し、
この無線通信による通信結果に基づいて改札処理を行う際、入場者であると判断したのに基づいて前記無線通信媒体に対して入場処理を行い、出場者であると判断したのに基づいて前記無線通信媒体に対して出場処理を行うことを特徴とする改札方法。
【請求項１０】
固定的に設けられた支持部材に着脱自在に設けられた筐体を備えた改札機における改札方法であって、
入場処理または出場処理の選択を受け付け、
改札処理に必要な改札情報を記憶した無線通信媒体との間で無線通信を行う無線通信装置と、
前記無線通信装置による通信結果に基づいて改札処理を行う際、入場処理の選択を受け付けたのに基づいて前記無線通信媒体に対して入場処理を行い、出場処理の選択を受け付けたのに基づいて前記無線通信媒体に対して出場処理を行うことを特徴とする改札方法。
【発明の詳細な説明】
【技術分野】
【０００１】
この発明は、改札機及び改札方法に係り、特に、改札処理に必要な改札情報を記憶した無線通信媒体との間で無線通信を行う簡易型の改札機及びこれに適用可能な改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの券媒体から改札処理に必要な改札情報を読み取り、利用者の改札通路の通行を許可するか否かの改札処理を行う。
【０００３】
また、最近では、無線通信媒体との間で無線通信を行うことにより改札処理を行う改札機が実用化されている。このような改札機に適用される無線通信媒体は、定期券として利用する際に必要な定期券情報、例えば利用区間、有効期限、利用者の氏名、住所、などに関する情報のほかに、プリペイドカードとして利用する際に必要なプリペイド情報、例えば金額（残額）などに関する情報を記憶したメモリ部を備えている。
【０００４】
このような改札機には、入場処理を行う機体及び出場処理を行う機体があり、各改札口には必ず両者が導入されている。また、１台の機体の両側に入場処理を行う入場処理部と出場処理を行う出場処理部とを備えた両用改札機が提案されており、導入機体数の削減が期待されている（例えば、特許文献１参照）。
【特許文献１】特開２００１−２４３５０９号公報
【発明の開示】
【発明が解決しようとする課題】
【０００５】
しかしながら、両用改札機は、駅係員による監視盤並びに係員スイッチの操作により必要に応じて設定を切り換える必要がある。このため、利用者の少ない閑散駅や無人駅などでは、このような両用改札機を導入することは困難である。また、両用改札機は、１台の機体の中に入場処理及び出場処理をそれぞれ行うために２台の処理部（例えば無線通信装置などの処理部）を備えている。このため、改札機のコストがアップする。
【０００６】
この発明は、上述した問題点に鑑みなされたものであって、その目的は、コストアップすることなく、導入機体数を削減することが可能な改札機及びこの改札機に適用可能な改札方法を提供することにある。
【課題を解決するための手段】
【０００７】
この発明の第１の様態による改札機は、
固定的に設けられた支持部材と、
前記支持部材に着脱自在に設けられた筐体と、
前記筐体に向かって接近する利用者を検知する検知手段と、
前記検知手段による検知結果に基づき、入場処理を必要とする入場者かまたは出場処理を必要とする出場者かを判断する判断手段と、
前記筐体に備えられ、改札処理に必要な改札情報を記憶した無線通信媒体との間で無線通信を行う無線通信装置と、
前記無線通信装置による通信結果に基づいて改札処理を行う改札手段と、を備え、
前記改札手段は、前記判断手段による判断結果に基づき、入場者に対しては入場処理を行い、出場者に対しては出場処理を行うことを特徴とする。
【０００８】
この発明の第２の様態による改札機は、
固定的に設けられた支持部材と、
前記支持部材に着脱自在に設けられた筐体と、
前記筐体に備えられ、改札処理に必要な改札情報を記憶した無線通信媒体との間で無線通信を行う無線通信装置と、
前記無線通信装置により無線通信媒体から読み取った改札情報に基づき、入場処理を必要とする入場者かまたは出場処理を必要とする出場者かを判断する判断手段と、
前記無線通信装置による通信結果に基づいて改札処理を行う改札手段と、を備え、
前記改札手段は、前記判断手段による判断結果に基づき、入場者に対しては入場処理を行い、出場者に対しては出場処理を行うことを特徴とする。
【０００９】
この発明の第３の様態による改札方法は、
固定的に設けられた支持部材に着脱自在に設けられた筐体を備えた改札機における改札方法であって、
前記筐体に向かって接近する利用者を検知し、
この検知結果に基づき、入場処理を必要とする入場者かまたは出場処理を必要とする出場者かを判断し、
改札処理に必要な改札情報を記憶した無線通信媒体との間で無線通信を行い、
この無線通信による通信結果に基づいて改札処理を行う際、入場者であると判断したのに基づいて前記無線通信媒体に対して入場処理を行い、出場者であると判断したのに基づいて前記無線通信媒体に対して出場処理を行うことを特徴とする。
【００１０】
この発明の第４の様態による改札方法は、
固定的に設けられた支持部材に着脱自在に設けられた筐体を備えた改札機における改札方法であって、
改札処理に必要な改札情報を記憶した無線通信媒体との間で無線通信を行い、
この無線通信により無線通信媒体から読み取った改札情報に基づき、入場処理を必要とする入場者かまたは出場処理を必要とする出場者かを判断し、
この無線通信による通信結果に基づいて改札処理を行う際、入場者であると判断したのに基づいて前記無線通信媒体に対して入場処理を行い、出場者であると判断したのに基づいて前記無線通信媒体に対して出場処理を行うことを特徴とする。
【発明の効果】
【００１１】
この発明によれば、コストアップすることなく、導入機体数を削減することが可能な改札機及びこの改札機に適用可能な改札方法を提供することができる。
【発明を実施するための最良の形態】
【００１２】
以下、この発明の一実施の形態に係る改札機及びこの改札機に適用可能な改札方法について図面を参照して説明する。  
無線通信可能な携帯機器との間で入場処理や出場処理などの改札処理を行う改札システムは、改札口に配置された改札機を備えている。特に、利用者の少ない閑散駅や無人駅などに設置可能な簡易型の改札機１は、図１に示すように、改札口に固定的に設けられた支持部材として機能するポール２と、このポール２の上端部に着脱自在に設けられた筐体３と、を備えている。
【００１３】
このような改札機で利用可能な券媒体としては、普通乗車券、定期券、特急券、回数券、入場券、プリペイドカード、ポストペイカードなどの無線通信可能な無線通信媒体を対象としている。これらに券媒体は、改札処理に必要な改札情報として、例えば、利用可能な区間情報、有効期限情報、入場記録情報、出場記録情報、利用者情報、利用可能な金額情報などを有している。
【００１４】
改札機の筐体３は、案内表示部４、スピーカ５、表示灯６、無線通信装置１０などを備えている。案内表示部４は、利用者や係員などに対して各種案内に関する情報の他に、改札処理の結果に関する判定結果情報（改札処理が完了した旨の情報（判定ＯＫ）、改札処理が未了である旨の情報（判定ＮＧ）、改札処理で利用された利用額に対応する情報、利用可能な金額から利用額を引去った後の残額に対応する情報）などを表示する。
【００１５】
スピーカ５は、利用者や係員などに対して各種案内に関する情報や、改札処理の結果に関する判定結果情報などに対応した音声を出力する。表示灯６は、小児券を利用した改札処理の要求や無効券を利用した改札処理の要求を受け付けた場合の他に、機器の異常など装置の動作状態に対応して点灯あるいは点滅表示する。
【００１６】
無線通信装置１０は、改札処理に必要な改札情報を記憶した無線通信媒体との間で無線通信を行う。すなわち、この無線通信装置１０は、無線通信を行うための動作磁界を発生するアンテナ部１０Ａ、アンテナ部１０Ａを介した無線通信可能なエリアに対応した通信部１０Ｂなどを備えている。この通信部１０Ｂは、実質的にアンテナ部１０Ａの位置に対応しており、無線通信媒体がかざされるべき位置に相当する。通信部１０Ｂは、無線通信媒体との間で無線通信が可能か否かを報知するための表示灯を備えている。この通信部１０Ｂは、例えば、無線通信可能な場合に点灯し、また、無線通信不可能な場合に「おまちください」などのメッセージを表示する。
【００１７】
このような無線通信装置１０は、無線通信可能な状態において、通信部１０Ｂを点灯して通信部１０Ｂの位置すなわちアンテナ部１０Ａの位置を報知し、アンテナ部１０Ａを介して通信部１０Ｂにかざされた無線通信媒体との間で無線通信を行う。つまり、無線通信装置１０は、アンテナ部１０Ａを介して無線通信媒体から送信されたデータを受信したり、無線通信媒体に対してデータを送信したりする。
【００１８】
また、筐体３は、筐体３に向かって接近する利用者を検知する検知手段として機能する接近センサ１１、１２、１３を備えている。これら接近センサ１１、１２、１３は、例えば反射型光学センサや超音波センサなどによって構成され、利用者の有無に対応した検知信号を出力する。接近センサ１１は、筐体３において、利用者と対面した状態でその右手側に配置されており、利用者の通行方向１００における矢印Ａ側（例えば施設内に入場する方向）に通過する利用者を検知する。接近センサ１２は、筐体３において、利用者と対面した状態でその左手側に配置されており、利用者の通行方向１００における矢印Ｂ側（例えば施設内から出場する方向）に通過する利用者を検知する。接近センサ１３は、筐体３において、利用者と対面した状態でその正面に配置されており、筐体３の前を通過する利用者を検知する。
【００１９】
さらに、筐体３は、利用者によって入場処理または出場処理を選択可能な切換手段として機能する切換スイッチ２１を備えている。この切換スイッチは、例えばタッチパネル内蔵の表示装置によって構成されている。  
なお、このような簡易型の改札機は、利用者の通行を阻止するドア機構は備えていない。
【００２０】
図２に示すように、改札機は、装置全体の制御を司るＣＰＵ６０を備えている。このＣＰＵ６０は、券媒体に記憶された改札情報に基づいて改札処理を行う改札手段としての機能を有している。また、このＣＰＵ６０は、接近センサ１１、１２、１３による検知結果に基づき、検知した利用者が入場処理を必要とする入場者かまたは出場処理を必要とする出場者かを判断する判断手段（第１判断手段）としての機能を有している。さらに、このＣＰＵ６０は、無線通信装置１０により無線通信媒体から読み取った改札情報に基づき、利用者が入場処理を必要とする入場者かまたは出場処理を必要とする出場者かを判断する判断手段（第２判断手段）としての機能を有している。
【００２１】
このＣＰＵ６０には、ＲＯＭ６１、ＲＡＭ６２、運賃メモリ６３、表示制御回路７１、音声出力制御回路７２、駆動回路７３、無線通信制御回路７４、検知回路７５、検知回路７６、通信制御部７７などが接続されている。
【００２２】
ＲＯＭ６１は、ＣＰＵ６０の制御プログラムなどを記憶している。ＲＡＭ６２は、制御プログラムのバッファとして情報を記憶するとともに、券媒体から読み取った情報などの各種情報を記憶する。運賃メモリ６３は、入場駅（から設置駅まで）に対応した運賃情報を記憶している。
【００２３】
表示制御回路７１は、表示部４に必要な各種情報を表示するように駆動制御する。音声出力制御回路７２は、スピーカ５から必要な各種音声情報を出力するように駆動制御する。駆動回路７３は、表示灯６の点灯状態を駆動制御する。
【００２４】
無線通信制御回路７４は、無線通信装置１０を制御して、アンテナ部１０Ａを介して無線通信媒体と交信し、無線通信媒体に記憶された改札情報などを含むデータを読み取る（無線通信媒体から送信されたデータを受信する）読取手段としての機能を有するとともに、無線通信媒体に対して所定情報例えば改札処理の結果に相当する判定結果情報などを含むデータを書き込む（無線通信媒体に向けてデータを送信する）書込手段としての機能を有している。
【００２５】
検知回路７５、接近センサ１１、１２、１３からの出力信号に基づいて利用者の筐体３への接近及び通過（移動位置）を検知する。検知回路７６は、切換スイッチ２１からの入力信号に基づいて利用者が選択した改札処理つまり入場処理を必要とするかまたは出場処理を必要とするかを検知する。
【００２６】
通信制御部７７は、遠隔操作部９０との間で情報通信を行う。この遠隔操作部９０は、改札機を監視する監視装置あるいは改札機を制御するホストコンピュータなどであり、改札機における各種設定を受け付ける入力部、入力された情報や改札機本体の動作状態などを表示する表示部などで構成されている。
【００２７】
図３に示すように、無線通信媒体Ｃは、アンテナＡＴ、アンテナＡＴに接続されたＩＣチップ部２００などを備えている。このＩＣチップ部２００は、無線通信装置１０との間での無線通信を制御するＣＰＵ２０１、ＣＰＵ２０１に対して駆動電源を供給する電源２０２などを備えている。このＣＰＵ２０１には、メモリ部２０３、アンテナＡＴを介して改札機の無線通信装置１０から送信されたデータを受信したり無線通信装置１０に対してデータを送信したりする通信制御部２０４などが接続されている。
【００２８】
メモリ部２０３は、改札処理に必要な改札情報、改札機から受信した判定結果情報などを記憶する機能を有している。通信制御部２０４は、アンテナＡＴを介して改札機から送信された判定結果情報を含む各種データを受信する機能を有している。
【００２９】
次に、無線通信媒体Ｃを利用した改札処理方法について説明する。
【００３０】
図４に示すように、無線通信装置１０は、アンテナ部１０Ａを介して、無線通信媒体Ｃに対して一定時間の間隔でポーリングコマンド信号を発信している。利用者が無線通信媒体Ｃをアンテナ部１０Ａにかざすと、無線通信によるデータのやり取りが開始される。つまり、このポーリングコマンド信号に対して、無線通信媒体Ｃから返信信号が無線通信装置１０に向けて送信される（ポーリングレスポンス）。
【００３１】
そして、無線通信装置１０からアンテナ部１０Ａを介して無線通信媒体Ｃに対して改札情報を含むデータの送信を要求する（リードコマンド）。無線通信媒体Ｃの通信制御部２０４は、アンテナＡＴを介して無線通信装置１０からのデータ送信要求を受信したのに基づいて、ＣＰＵ２０１の制御に基づきメモリ部２０３に記憶していた改札情報を含むデータをアンテナＡＴを介して無線通信装置１０に向けて送信する（リードレスポンス）。
【００３２】
無線通信装置１０がアンテナ部１０Ａを介して無線通信媒体Ｃからデータを受信したのに基づき、改札機におけるＣＰＵ６０は、受信したデータ（無線通信装置による通信結果）に基づいて改札処理を行う（判定）。そして、無線通信装置１０は、アンテナ部１０Ａを介してＣＰＵ６０における改札処理の結果に相当する判定結果情報を含むデータを無線通信媒体Ｃに送信する（判定結果送信、ライトコマンド）。
【００３３】
その後、無線通信媒体Ｃの通信制御部２０４は、アンテナＡＴを介して無線通信装置１０から送信されたライトコマンドを受信したのに基づいて、ＣＰＵ２０１の制御に基づき受信したデータをメモリ部２０３に記憶する。そして、通信制御部２０４は、アンテナＡＴを介して無線通信装置１０に向けてデータが正常に書き込まれ一連の改札処理が完了したことを通知する（ライトレスポンス）。
【００３４】
その後、無線通信装置１０は、無線通信媒体Ｃからライトレスポンスを受信したのに基づいて、無線通信媒体Ｃに対して処理を終了するためのクローズコマンドを送信する。無線通信媒体Ｃは、無線通信装置１０からのクローズコマンドを受信したのに基づいて、無線通信装置１０に対してクローズレスポンスを送信する。無線通信装置１０は、無線通信媒体Ｃからクローズレスポンスを受信したのに基づいて、改札機におけるＣＰＵ６０に対して一連の処理が正常に終了した旨を通知する。  
このようなデータのやり取りにより、無線通信媒体Ｃと改札機における無線通信装置１０との間での改札処理が行われる。
【００３５】
次に、上述した改札機の具体的な構成例について説明する。  
（構成例１）  
構成例１に係る改札機においては、ＣＰＵ６０は、接近センサによる検知結果に基づき入場者であるか出場者であるかを判断し、この判断結果に基づき入場者に対しては入場処理を行い、出場者に対しては出場処理を行う。以下に、図５を参照して具体的な改札処理方法について説明する。
【００３６】
すなわち、ＣＰＵ６０は、無線通信装置１０により無線通信可能な状態において、筐体３に向かって接近する利用者を検知する（ＳＴ１１）。つまり、ＣＰＵ６０は、検知回路７５を制御して接近センサ１１、１２、１３からの出力信号に基づき、筐体３に近づく利用者を検知する。
【００３７】
そして、ＣＰＵ６０は、接近センサ１１、１２、１３からの出力信号に基づき、検知した利用者が入場処理を必要とする入場者であるかまたは出場処理を必要とする出場者であるかを判断する（ＳＴ１２）。このとき、ＣＰＵ６０は、接近センサ１１からの出力信号に基づいて利用者を検知したのに基づき（通行方向１００における矢印Ａ側に通過する利用者を検知したのに基づき）、利用者が入場者であると判断する。また、ＣＰＵ６０は、接近センサ１２からの出力信号に基づいて利用者を検知したのに基づき（通行方向１００における矢印Ａ側に通過する利用者を検知したのに基づき）、利用者が出場者であると判断する。
【００３８】
そして、ＣＰＵ６０は、入場者であると判断したのに基づき（ＳＴ１３、Ｙ）、入場者に対して入場処理を行う（ＳＴ１４）。このとき、ＣＰＵ６０は、表示制御回路７１を制御して表示部４に各種メッセージを表示したり、音声出力制御回路７２を制御してスピーカ５から各種音声を出力したりする。ここで表示されるメッセージ及び出力される音声は、例えば、入場処理を行う旨や、利用者が所持している無線通信媒体をアンテナ部１０Ａにかざす旨の内容である。そして、ＣＰＵ６０は、無線通信制御回路７４を制御して無線通信装置１０と無線通信媒体との間で無線通信を行い、無線通信媒体に対して入場記録を書き込むなどの入場処理を行う。
【００３９】
一方、ＣＰＵ６０は、出場者であると判断したのに基づき（ＳＴ１３、Ｎ）、出場者に対して出場処理を行う（ＳＴ１５）。このとき、ＣＰＵ６０は、表示制御回路７１を制御して表示部４に各種メッセージを表示したり、音声出力制御回路７２を制御してスピーカ５から各種音声を出力したりする。ここで表示されるメッセージ及び出力される音声は、例えば、出場処理を行う旨や、利用者が所持している無線通信媒体をアンテナ部１０Ａにかざす旨の内容である。そして、ＣＰＵ６０は、無線通信制御回路７４を制御して無線通信装置１０と無線通信媒体との間で無線通信を行い、無線通信媒体に対して出場記録を書き込むなどの出場処理を行う。
【００４０】
続いて、ＣＰＵ６０は、これら入場処理または出場処理において、エラーが発生したか否かを判断する（ＳＴ１６）。例えば、ＣＰＵ６０は、無効券をかざされた場合や、有効期間外、有効区間外、料金不足などと判断した場合、あるいは、無線通信エラーが発生した場合などのエラーが発生した場合（ＳＴ１６、Ｙ）、表示制御回路７１を制御して表示部４にエラー内容のメッセージを表示したり、音声出力制御回路７２を制御してスピーカ５から同様の内容の音声を出力したりする（ＳＴ１７）。
【００４１】
ＣＰＵ６０は、これら入場処理または出場処理において、エラーが発生しなかったと判断したのに基づいて（ＳＴ１６、Ｙ）、表示制御回路７１を制御して表示部４に処理が完了した旨のメッセージを表示したり、音声出力制御回路７２を制御してスピーカ５から同様の内容の音声を出力したりする（ＳＴ１８）。
【００４２】
このような工程により、構成例１の改札機における改札処理が終了する。
【００４３】
（構成例２）  
構成例２に係る改札機においては、ＣＰＵ６０は、無線通信装置による無線通信媒体から読み取った改札情報に基づき入場者であるか出場者であるかを判断し、この判断結果に基づき入場者に対しては入場処理を行い、出場者に対しては出場処理を行う。以下に、図６を参照して具体的な改札処理方法について説明する。
【００４４】
すなわち、ＣＰＵ６０は、無線通信装置１０により無線通信可能な状態において、無線通信開始の要求を受け付けたか否かを判断する（ＳＴ２１）。つまり、ＣＰＵ６０は、無線通信装置１０のアンテナ部１０Ａに利用者が所持する無線通信媒体がかざされたのに基づいて無線通信媒体との間で無線通信を行う。
【００４５】
そして、ＣＰＵ６０は、無線通信媒体から読み取った改札情報に基づき、利用者が入場処理を必要とする入場者であるかまたは出場処理を必要とする出場者であるかを判断する（ＳＴ２２）。このとき、ＣＰＵ６０は、読み取った改札情報に出場記録が含まれることに基づき、利用者が入場者であると判断する。また、ＣＰＵ６０は、読み取った改札情報に入場記録が含まれることに基づき、利用者が出場者であると判断する。
【００４６】
そして、ＣＰＵ６０は、入場者であると判断したのに基づき（ＳＴ２３、Ｙ）、入場者に対して入場処理を行う（ＳＴ２４）。このとき、ＣＰＵ６０は、表示制御回路７１を制御して表示部４に各種メッセージを表示したり、音声出力制御回路７２を制御してスピーカ５から各種音声を出力したりする。ここで表示されるメッセージ及び出力される音声は、例えば、入場処理を行う旨などの内容である。そして、ＣＰＵ６０は、無線通信制御回路７４を制御して無線通信装置１０と無線通信媒体との間で無線通信を行い、無線通信媒体に対して入場記録を書き込むなどの入場処理を行う。
【００４７】
一方、ＣＰＵ６０は、出場者であると判断したのに基づき（ＳＴ２３、Ｎ）、出場者に対して出場処理を行う（ＳＴ２５）。このとき、ＣＰＵ６０は、表示制御回路７１を制御して表示部４に各種メッセージを表示したり、音声出力制御回路７２を制御してスピーカ５から各種音声を出力したりする。ここで表示されるメッセージ及び出力される音声は、例えば、出場処理を行う旨などの内容である。そして、ＣＰＵ６０は、無線通信制御回路７４を制御して無線通信装置１０と無線通信媒体との間で無線通信を行い、無線通信媒体に対して出場記録を書き込むなどの出場処理を行う。
【００４８】
続いて、ＣＰＵ６０は、これら入場処理または出場処理において、エラーが発生したか否かを判断する（ＳＴ２６）。ＣＰＵ６０は、エラーが発生した場合（ＳＴ２６、Ｙ）、表示制御回路７１を制御して表示部４にエラー内容のメッセージを表示したり、音声出力制御回路７２を制御してスピーカ５から同様の内容の音声を出力したりする（ＳＴ２７）。
【００４９】
ＣＰＵ６０は、これら入場処理または出場処理において、エラーが発生しなかったと判断したのに基づいて（ＳＴ２６、Ｙ）、表示制御回路７１を制御して表示部４に処理が完了した旨のメッセージを表示したり、音声出力制御回路７２を制御してスピーカ５から同様の内容の音声を出力したりする（ＳＴ２８）。
【００５０】
このような工程により、構成例２の改札機における改札処理が終了する。
【００５１】
（構成例３）  
構成例３に係る改札機においては、ＣＰＵ６０は、切換スイッチ２１による選択結果に基づき入場者に対しては入場処理を行い、出場者に対しては出場処理を行う。以下に、図７を参照して具体的な改札処理方法について説明する。
【００５２】
すなわち、ＣＰＵ６０は、無線通信装置１０により無線通信可能な状態において、検知回路７５を制御して接近センサ１３からの出力信号に基づいて筐体３に対面する利用者を検知したのに基づき、切換スイッチ２１による「入場処理」または「出場処理」の選択を受け付ける（ＳＴ３１）。このとき、ＣＰＵ６０は、表示制御回路７１を制御して表示部４に「入場処理または出場処理を選択してください」などの旨のメッセージを表示したり、音声出力制御回路７２を制御してスピーカ５から同様の旨の音声を出力したりする。
【００５３】
そして、ＣＰＵ６０は、検知回路７６を制御して切換スイッチ２１により「入場処理」の選択を受け付けたと判断したのに基づいて（ＳＴ３２、Ｙ）、利用者が入場者であると判断し、入場処理を行う（ＳＴ３３）。このとき、ＣＰＵ６０は、表示制御回路７１を制御して表示部４に各種メッセージを表示したり、音声出力制御回路７２を制御してスピーカ５から各種音声を出力したりする。ここで表示されるメッセージ及び出力される音声は、例えば、入場処理を行う旨や、利用者が所持している無線通信媒体をアンテナ部１０Ａにかざす旨の内容である。そして、ＣＰＵ６０は、無線通信制御回路７４を制御して無線通信装置１０と無線通信媒体との間で無線通信を行い、無線通信媒体に対して入場記録を書き込むなどの入場処理を行う。
【００５４】
一方、ＣＰＵ６０は、検知回路７６を制御して切換スイッチ２１により「出場処理」の選択を受け付けたと判断したのに基づいて（ＳＴ３４、Ｙ）、利用者が出場者であると判断し、出場処理を行う（ＳＴ３５）。このとき、ＣＰＵ６０は、表示制御回路７１を制御して表示部４に各種メッセージを表示したり、音声出力制御回路７２を制御してスピーカ５から各種音声を出力したりする。ここで表示されるメッセージ及び出力される音声は、例えば、出場処理を行う旨や、利用者が所持している無線通信媒体をアンテナ部１０Ａにかざす旨の内容である。そして、ＣＰＵ６０は、無線通信制御回路７４を制御して無線通信装置１０と無線通信媒体との間で無線通信を行い、無線通信媒体に対して出場記録を書き込むなどの出場処理を行う。
【００５５】
続いて、ＣＰＵ６０は、これら入場処理または出場処理において、エラーが発生したか否かを判断する（ＳＴ３６）。ＣＰＵ６０は、エラーが発生した場合（ＳＴ３６、Ｙ）、表示制御回路７１を制御して表示部４にエラー内容のメッセージを表示したり、音声出力制御回路７２を制御してスピーカ５から同様の内容の音声を出力したりする（ＳＴ３７）。
【００５６】
ＣＰＵ６０は、これら入場処理または出場処理において、エラーが発生しなかったと判断したのに基づいて（ＳＴ３６、Ｙ）、表示制御回路７１を制御して表示部４に処理が完了した旨のメッセージを表示したり、音声出力制御回路７２を制御してスピーカ５から同様の内容の音声を出力したりする（ＳＴ３８）。
【００５７】
このような工程により、構成例３の改札機における改札処理が終了する。
【００５８】
（構成例４）  
構成例４に係る改札機は、構成例１及び構成例２を組み合わせたものである。すなわち、この改札機においては、ＣＰＵ６０は、構成例１で説明したように、まず、接近センサ１１、１２、１３による検知結果に基づき入場者であるか出場者であるかを判断する（第１判断結果）。また、ＣＰＵ６０は、構成例２で説明したように、無線通信装置による無線通信媒体から読み取った改札情報に基づき入場者であるか出場者であるかを判断する（第２判断結果）。
【００５９】
そして、ＣＰＵ６０は、これら第１判断結果及び第２判断結果に基づき、入場者であるとの判断結果が合致した場合に入場者に対して入場処理を行い、出場者であるとの判断結果が合致した場合に出場者に対して出場処理を行う。
【００６０】
一方で、ＣＰＵ６０は、第１判断結果と第２判断結果とが不一致の場合、改札処理を中止し、表示制御回路７１を制御して表示部４に「入場記録がありません」や「出場記録がありません」などのエラーメッセージを表示したり、音声出力制御回路７２を制御してスピーカ５から同様のエラー内容の音声を出力したりする。
【００６１】
（構成例５）  
構成例５に係る改札機は、構成例２及び構成例３を組み合わせたものである。すなわち、この改札機においては、ＣＰＵ６０は、構成例３で説明したように、まず、接近センサ１３による検知結果に基づき利用者を検知したのに基づいて切換スイッチ２１による「入場処理」または「出場処理」の選択を受け付ける（選択結果）。また、ＣＰＵ６０は、構成例２で説明したように、無線通信装置による無線通信媒体から読み取った改札情報に基づき入場者であるか出場者であるかを判断する（判断結果）。
【００６２】
そして、ＣＰＵ６０は、これら選択結果及び判断結果に基づき、入場者であると判断した場合に入場者に対して入場処理を行い、出場者であるとの判断した場合に出場者に対して出場処理を行う。
【００６３】
一方で、ＣＰＵ６０は、選択結果と判断結果とが不一致の場合、改札処理を中止し、表示制御回路７１を制御して表示部４に「入場記録がありません」や「出場記録がありません」などのエラーメッセージを表示したり、音声出力制御回路７２を制御してスピーカ５から同様のエラー内容の音声を出力したりする。
【００６４】
（構成例６）  
構成例６に係る改札機は、構成例１及び構成例３を組み合わせたものである。すなわち、この改札機においては、ＣＰＵ６０は、構成例１で説明したように、まず、接近センサ１１、１２、１３による検知結果に基づき入場者であるか出場者であるかを判断する（判断結果）。また、ＣＰＵ６０は、構成例３で説明したように、接近センサ１３による検知結果に基づき利用者を検知したのに基づいて切換スイッチ２１による「入場処理」または「出場処理」の選択を受け付ける（選択結果）。
【００６５】
そして、ＣＰＵ６０は、これら選択結果及び判断結果に基づき、入場者であると判断した場合に入場者に対して入場処理を行い、出場者であるとの判断した場合に出場者に対して出場処理を行う。
【００６６】
一方で、ＣＰＵ６０は、選択結果と判断結果とが不一致の場合、改札処理を中止し、表示制御回路７１を制御して表示部４に「入場記録がありません」や「出場記録がありません」などのエラーメッセージを表示したり、音声出力制御回路７２を制御してスピーカ５から同様のエラー内容の音声を出力したりする。
【００６７】
（構成例７）  
構成例７に係る改札機は、構成例１、第２構成例、及び、構成例３を組み合わせたものである。すなわち、この改札機においては、ＣＰＵ６０は、構成例１で説明したように、まず、接近センサ１１、１２、１３による検知結果に基づき入場者であるか出場者であるかを判断する（第１判断結果）。また、ＣＰＵ６０は、構成例２で説明したように、無線通信装置による無線通信媒体から読み取った改札情報に基づき入場者であるか出場者であるかを判断する（第２判断結果）。さらに、ＣＰＵ６０は、構成例３で説明したように、接近センサ１３による検知結果に基づき利用者を検知したのに基づいて切換スイッチ２１による「入場処理」または「出場処理」の選択を受け付ける（選択結果）。
【００６８】
そして、ＣＰＵ６０は、これら選択結果、及び、第１判断結果及び第２判断結果に基づき、入場者であると判断した場合に入場者に対して入場処理を行い、出場者であるとの判断した場合に出場者に対して出場処理を行う。
【００６９】
一方で、ＣＰＵ６０は、選択結果、及び、第１判断結果及び第２判断結果の少なくとも１つが不一致の場合、改札処理を中止し、表示制御回路７１を制御して表示部４に「入場記録がありません」や「出場記録がありません」などのエラーメッセージを表示したり、音声出力制御回路７２を制御してスピーカ５から同様のエラー内容の音声を出力したりする。
【００７０】
以上説明したように、この実施の形態によれば、単体の改札機において、入場処理を行うべきか出場処理を行うべきかを判断可能となり、導入機体数を削減することが可能となる。また、単体の改札機に備えられた１個の処理部（例えば無線通信装置や表示部）により入場処理及び出場処理を行うことができ、機体のコストを削減することが可能となる。さらに、着脱可能な簡易型改札機であるため、利用者数に応じて容易に機体数を増減可能である。
【００７１】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７２】
【図１】図１は、この発明の一実施の形態に係る改札機の外観を概略的に示す斜視図である。
【図２】図２は、図１に示した改札機の制御系の構成を概略的に示すブロック図である。
【図３】図３は、図１に示した改札機による改札処理対象としての無線通信媒体の構成を概略的に示す図である。
【図４】図４は、無線通信媒体と改札機（無線通信装置）との無線通信による信号のやりとりを説明するための図である。
【図５】図５は、構成例１に係る改札機による改札方法を説明するためのフローチャートである。
【図６】図６は、構成例２に係る改札機による改札方法を説明するためのフローチャートである。
【図７】図７は、構成例３に係る改札機による改札方法を説明するためのフローチャートである。
【符号の説明】
【００７３】
１…改札機、２…ポール、３…筐体、４…表示部、５…スピーカ、６…表示灯、１０…無線通信装置、１１…接近センサ、１２…接近センサ、１３…接近センサ、２１…切換スイッチ、６０…ＣＰＵ、７１…表示制御回路、７２…音声出力制御回路、７３…駆動回路、７４…無線通信制御回路、７５…検知回路、７６…検知回路、７７…通信制御部、Ｃ…無線通信媒体、２００…ＩＣチップ部、２０１…ＣＰＵ、２０２…電源、２０３…メモリ部、２０４…通信制御部、ＡＴ…アンテナ
【図１】
2006099436.tif 000003
【図２】
2006099436.tif 000004
【図３】
2006099436.tif 000005
【図４】
2006099436.tif 000006
【図５】
2006099436.tif 000007
【図６】
2006099436.tif 000008
【図７】
2006099436.tif 000009